(57)【要約】【課題】  電子メール通信機能を利用中に、そのメールに関連した処理を行う場合に、簡便にユーザの意思を反映して処理を行うことができる携帯端末の提供を提供する。【解決手段】  携帯端末は、特定のキーを押下することで実行される複数の機能を有しており、メールの宛先と各機能の実行に必要な情報である実行情報とを含む複数の個人情報で構成されるアドレス帳を備え、送受信されたメールまたは送信されるメールを指定して、いずれかのキーを押下すると、指定されたメールの送受信者の宛先を含む個人情報を前記アドレス帳から検出し、検出した個人情報から、押下されたキーに割り当てられている機能の実行情報を抽出して、押下されたキーに割り当てられている機能の実行を行なう。【選択図】  図１
2011188520.tif 000002
【特許請求の範囲】
【請求項１】
メール機能を含む複数の機能を有し、各機能が割り当てられているキーを備える携帯端末であって、
少なくともメールの相手先を識別するメール先識別情報と、当該相手先と関連する電話番号とを対応付けて記憶するアドレス帳と、
送信もしくは受信されたメールまたは送信するメールを指定し、いずれかの前記キーが押下されたときに、当該指定したメールの相手先のメール先識別情報と対応付けられた電話番号が複数ある場合、当該複数の電話番号の中から、予め選択されている１つの電話番号を、指定する指定手段と、
前記指定手段で指定された１つの電話番号に基づいて、押下されたキーに割り当てられている機能を開始させる制御手段とを備える
ことを特徴とする携帯端末。
【請求項２】
前記制御手段はさらに、前記予め選択されている１つの電話番号には通常使用するものである旨の表示を行うことを特徴とする請求項１に記載の携帯端末。
【請求項３】
前記押下されたキーに割り当てられている機能には、発信処理が含まれることを特徴とする請求項１に記載の携帯端末。
【発明の詳細な説明】
【技術分野】
【０００１】
本発明は、電子メールの通信を可能とする電子メール通信機能を含む、複数の機能を備えた携帯端末の操作性向上に関し、特に電子メール通信機能を利用中の  操作性向上の技術に関する。
【背景技術】
【０００２】
近年、携帯電話機などの携帯端末には、音声通信機能や電子メール通信機能など、様々な機能が搭載されるに至っている。
【０００３】
それらの機能を利用する際、その多くは、一旦、いわゆる初期画面に戻り、利用したい機能を選択して、実行させる必要があった。例えば、ある人から送られてきたメールを見ている時に、その人に電話をかけようとした場合には、一旦、メールを閉じて待受け画面に戻り、アドレス帳からその人の電話番号を検索して電話をかける必要があった。
【０００４】
このような手間を省く為に、受信メールに対して行うことができる処理の一覧に発信処理を載せ、そこからメールの送信者に発信する技術が開発されている（特許文献１参照）。
【先行技術文献】
【特許文献】
【０００５】
【特許文献１】特開２００２−７７４５１号公報
【発明の概要】
【発明が解決しようとする課題】
【０００６】
しかし、最近は、１個人が、勤め先や自宅、携帯電話機など、複数の電話番号を持っている。また、メールアドレスも、勤め先のパソコン、自宅のパソコン、携帯電話機など、複数のメールアドレスを持っている。
【０００７】
従って、例えば、受信メールの発信者に、なんらかの返事をする場合であっても、その場、その時間などによって、宛先を変える必要があったり、また、変えたい場合が生じる。
【０００８】
そこで、本発明は、電子メール通信機能を利用中に、そのメールに関連した処理を行う場合に、簡便にユーザの意思を反映して処理を行うことができる携帯端末の提供を目的とする。
【課題を解決するための手段】
【０００９】
上記課題を解決する為に、本発明の携帯端末は、メール機能を含む複数の機能を有し、各機能が割り当てられているキーを備える携帯端末であって、少なくともメールのアドレス情報と前記アドレス情報に関連付けて識別情報を記憶するアドレス帳と、送信または受信されたメールまたは送信するメールを指定し、いずれかの前記キーが押下されたとき、前記アドレス帳から前記指定したメールのアドレス情報に関連付けられた前記押下されたキーの機能に関係する識別情報を前記アドレス帳から抽出する抽出手段とを備えることを特徴とする。
【発明の効果】
【００１０】
また、本発明の携帯端末は、メール機能を含む複数の機能を有し、各機能が割り当てら
れているキーを備える携帯端末であって、少なくともメールアドレスと電話番号を関連付けて記憶するアドレス帳と、送信または受信されたメールまたは送信するメールを指定し、いずれかの前記キーを押下されたとき、前記指定したメールのメールアドレスに関連付けられた電話番号を前記アドレス帳から抽出する抽出手段とを備えることを特徴とする。
【００１１】
本発明に係る携帯端末は、上述の構成を備えることにより、メールを表示等しているときに、所定のキーを押下するだけで、表示等しているメールの送受信者に関する情報であって、そのキーで実行する処理に必要な情報を自動的に抽出することができるので、ユーザが、少ない操作で意図する機能を実行できるような携帯端末を容易に作成することができるようになる。
【００１２】
また、前記携帯端末は、更に、前記抽出手段によって抽出された情報のうち、少なくとも1つの情報を表示する表示手段を備えることとしてもよい。
【００１３】
また、前記携帯端末は、更に、前記表示手段で表示されている情報を指定する指定手段と、  前記指定手段で指定された情報に基づいて、前記押下されたキーに割り当てられている機能を開始させる制御手段とを備えることとしてもよい。
【００１４】
これにより、キーを押下すると、そのキーで実行する処理に必要な情報を自動的に抽出し、ユーザへの提示がなされるので、ユーザは、意図する機能の実行を少ない操作で行なうことができるようになる。
【００１５】
すなわち、押下したキーで実行する処理に必要な情報が複数存在するとしても、その全てがユーザに提示されるので、ユーザは、時間や場面等を考慮して、発信処理などの処理を行うことができるようになる。
【００１６】
また、前記携帯端末は、前記抽出手段で抽出された情報に基づいて、前記押下されたキーに割り当てられている機能を開始させる制御手段とを備えることとしてもよい。
【００１７】
これにより、キーを押下すると、そのキーで実行する処理に必要な情報を自動的に抽出し、それに基づいて機能が実行されるので、ユーザは、意図する機能の実行を少ない操作で行なうことができるようになる。
【００１８】
また、前記押下されたキーに割り当てられている機能は、発信機能であって、
前記抽出手段によって抽出される情報は、電話番号であり、前記制御手段は、前記電話番号に発信する発信機能を開始させることとしてもよい。
【００１９】
これにより、メール表示時に、発信キーを押下すれば、そのメールの送受信者の電話番号の一覧が提示されるので、ユーザは、時間や場面等を考慮して、容易に電話をかけることができるようになる。
【００２０】
また、前記押下されたキーに割り当てられている機能は、メール送信機能であって、前記抽出手段によって抽出される情報は、メールアドレスであり、前記制御手段は、抽出されたメールアドレスにメールを送信するメール送信機能を開始させることとしてもよい。
【００２１】
また、前記押下されたキーに割り当てられている機能は、所定のメールを送信するショートメッセージサービス機能であって、前記抽出手段によって抽出される情報は、電話番号であり、前記制御手段は、抽出された電話番号に所定のメールを送信するショートメッセージサービス機能を開始させることとしてもよい。
【００２２】
これにより、メール表示時に、メールキーを押下すれば、そのメールの送受信者のメールアドレスや電話番号の一覧が提示されるので、ユーザは、時間や場面等を考慮して、容易に電子メールやショートメッセージを送ることができるようになる。
【００２３】
また、前記押下されたキーに割り当てられている機能は、ウェブページ表示機能であって、前記抽出手段によって抽出される情報は、ウェブページのアドレスであり、前記制御手段は、抽出されたアドレスのウェブページを表示するウェブページ表示機能を開始させることとしてもよい。
【００２４】
これにより、メール表示時に、ｗｅｂキーを押下すれば、そのメールの送受信者に関するウェブページのＵＲＬの一覧が提示されるので、ユーザは、容易にウェブページを見ることができるようになる。
【図面の簡単な説明】
【００２５】
【図１】携帯端末の構成を示す機能ブロック図である。
【図２】個人情報４２０の内容例を示す図である。図２（ａ）は、登録番号が「０３８」の個人情報の内容例であり、図２（ｂ）は、登録番号が「０６７」の個人情報の内容例である。
【図３】受信メールのデータの内容例および表示例を表す図である。図３（ａ）は、受信メールの受信情報６１０の内容例であり、図３（ｂ）は、受信メールのディスプレイ３１０への表示例である。
【図４】送信メールのデータの内容例および表示例を表す図である。図４（ａ）は、送信メールの送信先情報６５０の内容例であり、図４（ｂ）は、送信メールのディスプレイ３１０への表示例である。
【図５】受信メールを表示している時に、発信キー２１０を押下した場合の処理を示すフローチャートである。
【図６】受信メールを表示している時に、メールキー２２０を押下した場合の処理を示すフローチャートである。
【図７】受信メールを表示している時に、ｗｅｂキー２３０を押下した場合の処理を示すフローチャートである。
【図８】送信メールを表示している時に、発信キー２１０を押下した場合の処理を示すフローチャートである。
【図９】送信メールを表示している時に、メールキー２２０を押下した場合の処理を示すフローチャートである。
【図１０】送信メールを表示している時に、ｗｅｂキー２３０を押下した場合の処理を示すフローチャートである。
【発明を実施するための形態】
【００２６】
＜概要＞
本発明に係る携帯端末は、電子メール通信機能等を利用している最中に、該当キーを押下するだけで、いま処理している電子メール等に関連している送信者等に対して、他の機能を利用できるものである。さらに、加えて、その機能を利用するに際し、ユーザの意思を容易に反映できるものである。
【００２７】
例えば、受信メールを見ている最中に、その受信メールの送信者に電話をかけようとした場合、発信キーを押下しさえさえすれば、メール送信者の有する電話番号リストが表示され、「夜なので、自宅に電話しよう」と考えれば、自宅の電話番号に発信ができる。
【００２８】
本発明でいうところの、メールのアドレスとは、いま処理している電子メール等に関連している送信者等のメールアドレスをさす。
【００２９】
すなわち、受信メールであれば、同じメールが送信された宛先やＣＣ（Carbon Copy）
で送信された宛先などが含まれ、送信メールであれば、同様に、同じメールを送信する宛先の全てやＣＣで送信する宛先などが含まれる。
【００３０】
本実施形態では、電子メール通信機能のほか、音声通信機能などの機能を備えた携帯電話機を説明する。
【００３１】
＜構成＞
以下、本発明の実施形態に係る携帯電話機について図１を用いて説明する。
【００３２】
図１は、携帯電話機の構成を示す機能ブロック図である。
【００３３】
携帯端末１０００は、アンテナ１０、高周波回路を備える無線部２０、変復調回路及び信号処理回路を含む変復調部３０、音声信号のデジタル−アナログ変換を行う音声処理部４０、音声信号を出力するスピーカ６０、外部音声を入力するマイク５０、制御部１００、キー操作検出部２００、発信キー２１０、メールキー２２０、ｗｅｂキー２３０、表示部３００、ディスプレイ３１０、アドレス帳検索部４００、アドレス帳記憶部４１０、音声通話機能部５００、メール送受信機能部６００、ショートメッセージ送受信機能部７００及びｗｅｂアクセス部８００から構成される。
【００３４】
制御部１００は、図示しないＣＰＵ、メモリ等を備え、通信制御等、携帯電話機に必要な一般的な制御処理を行う他、本発明に特有の制御処理を行う。
【００３５】
まず、発信キー２１０は、音声通話機能のうち、発信機能が割り当てられている。
【００３６】
また、メールキー２２０には、電子メールの送受信機能（以下、「メール送受信機能」という。）とショートメッセージ送受信機能とが割り当てられている。この２つの機能のどちらを指示しているかは、本キーを押下している時間の長さによって判断する。所定の時間より長く押下している場合（以下、「長押し」という。）は、ショートメッセージ送受信機能を指示していると判断する。所定の時間より短く押下した場合（以下、「短押し」という。）は、メール送受信機能を指示していると判断する。
【００３７】
ｗｅｂキー２３０には、インターネットに接続し、所定のウェブページを表示する機能が割り当てられている。
【００３８】
キー操作検出部２００は、押下されたキーを検出し、そのキーに割り当てられている機能を制御部１００に通知する機能を有する。
【００３９】
ここでは、発信キー２１０、メールキー２２０およびｗｅｂキー２３０の３つを図示しているが、本携帯電話機１０００は、携帯電話機が一般的に有している確定キーや、テンキーなども備えており、その押下も検出し、制御部１００に通知する機能も有するものとする。
【００４０】
次に、表示部３００は、制御部１００から渡されたデータを、ディスプレイ３１０に表示する機能を有する。
【００４１】
アドレス帳検索部４００は、制御部１００から渡されたメールアドレス、電話番号等をキーとして、アドレス帳を検索する機能を有する。
【００４２】
アドレス帳とは、電話番号や電子メールの宛先であるメールアドレスなど、様々な個人情報を管理するものであり、個人情報の集合体である。具体的には、図２を用いて後述する。
【００４３】
また、このアドレス帳は、アドレス帳記憶部４１０が記憶している。
【００４４】
次に、音声通話機能部５００は、音声による通話機能を有している。いわゆる電話の機能である。
【００４５】
また、メール送受信機能部６００は、電子メールの作成、送受信、編集などの機能を有している。
【００４６】
ショートメッセージ送受信機能部７００は、携帯電話機同士での短い文字メッセージであるメールを送受信する機能を有している。メール送受信機能部６００との主な違いは、メール送受信機能部６００は、メールアドレスを宛先としてメールを送信するのに対し、ショートメッセージ送受信機能部７００は、電話番号を宛先としてメールを送信する点である。
【００４７】
ｗｅｂアクセス部８００は、インターネット上のウェブページにアクセスして、ディスプレイ３１０に表示する機能を有する。制御部１００を介して、表示部３００に依頼をすることにより、所定のウェブページをディスプレイ３１０に表示する。
【００４８】
ここで制御部１００等の各部による各処理の全部または一部は、ＣＰＵが各種プログラムを実行することにより実現されるものである。
【００４９】
＜データ＞
以下、携帯端末１０００が用いる主なデータについて、図２〜図４を用いて説明する。
【００５０】
図２は、個人情報４２０の内容例を示す図である。
【００５１】
図２（ａ）は、登録番号が「０３８」の個人情報の内容例であり、図２（ｂ）は、登録番号が「０６７」の個人情報の内容例である。
【００５２】
本実施形態では、個人情報４２０として、内容が人の情報である例を挙げているが、人に限らず、店、学校、会社などの情報であってもよく、個別情報とも言えるものである。
【００５３】
この個人情報４２０は、アドレス帳記憶部４１０に記憶されているアドレス帳を構成するものであり、このアドレス帳記憶部４１０に記憶されている。
【００５４】
個人情報４２０は、登録番号４２１、名称４２２、読み仮名４２３、電話番号情報４２４、メルアド情報４２５およびＵＲＬ情報４２６で構成される。
【００５５】
登録番号４２１は、個人情報４２０の識別番号である。
【００５６】
また、名称４２２は、この個人情報４２０で示されている個人の識別名であり、読み仮名４２３は、この名称４２２の読みである。
【００５７】
電話番号情報４２４は、この個人情報で示される個人の有する電話番号であり、個数を表す電話番号数と電話番号とを含む。
【００５８】
同様に、メルアド情報４２５は、この個人情報で示される個人の有するメールアドレスであり、メールアドレスの個数を表すメルアド数とメールアドレスとを含む。
【００５９】
また、ＵＲＬ情報４２６は、この個人情報で示される個人に関連するウェブページであり、ウェブページの個数を表すＵＲＬ数とＵＲＬとを含む。
【００６０】
例えば、登録番号４２１「０３８」で登録されている個人は、名称４２２が「三浦花子」であり、電話番号を電話番号数「２」つ持っている（図２（ａ）参照）。
【００６１】
尚、「電話番号１」および「メルアド１」が、通常使用するものであるとする。
【００６２】
次に、図３は、受信メールのデータの内容例および表示例を表す図である。
【００６３】
図３（ａ）は、受信メールの受信情報６１０の内容例であり、図３（ｂ）は、受信メールのディスプレイ３１０への表示例である。
【００６４】
受信メールの受信情報６１０は、メール送受信機能部６００内のメモリに記憶され、メール送受信機能部６００により管理されているものとする。受信メールは、所定の個数分保存されている。
【００６５】
受信メールの受信情報６１０（図３（ａ））は、受信メール番号６１１、送信元メルアド６１２、名称４２２、件名６２１、本文６２２および受信日時等（図示していない。）で構成される。
【００６６】
受信メール番号６１１は、受信メールの識別番号であり、基本的に到着順に昇順に付される。
【００６７】
送信元メルアド６１２は、この受信メールの送信元であるメールアドレスである。
【００６８】
また、名称４２２は、送信元メルアド６１２と同じメールアドレスに対応して、個人情報４２０に登録されている名称である。この名称４２２は、受信メールの受信情報６１０を作成する際に、アドレス帳から検索され、設定される。アドレス帳に該当するメールアドレスがない場合は、空白となる。
【００６９】
件名６２１は、この受信メールのタイトルであり、本文６２３は、通信の内容である。
【００７０】
例えば、受信メール番号６１１「０００３」の受信メールは、送信元メルアド６１２が「aaa@bbb.com」であって、名称４２２「三浦花子」から送られたメールであり、通信文
の内容は、件名６２１が「明日のこと」で、本文６２３は「明日どうする？…」である。
【００７１】
画面９１０が、この受信メール番号６１１「０００３」を、ディスプレイ３１０に表示した画面である。
【００７２】
図４は、送信メールのデータの内容例および表示例を表す図である。
【００７３】
図４（ａ）は、送信メールの送信先情報６５０の内容例であり、図４（ｂ）は、送信メールのディスプレイ３１０への表示例である。
【００７４】
送信メールの送信先情報６５０は、メール送受信機能部６００内のメモリに記憶され、メール送受信機能部６００により管理されているものとする。送信メールは、所定の個数
分保存されている。
【００７５】
送信メールの送信先情報６５０は、送信メール番号６５１と送信宛名情報６５２とで構成される。
【００７６】
送信メール番号６５１は、送信メールの識別番号であり、基本的に送信順に昇順に付される。
【００７７】
送信宛名情報６５２は、この送信メールの送信先を表し、送信先の数である送信先数、送信先のメールアドレスおよび名称を含む。尚、いわゆる「ＣＣ（Carbon Copy）」で送
信されたものも含まれることとする。
【００７８】
例えば、送信メール番号６５１「０００４」の送信メールは、送信先が送信先数「３」つあり、送信先メルアドが「tana1@fff.com」、「tana2@fff.com」、「tana3@fff.com」
であって、名称「田中一郎」、「田中二郎」、「田中三郎」に送られたメールである。
【００７９】
画面９２１が、この送信メール番号６５１「０００４」を、ディスプレイ３１０に表示した画面である。
【００８０】
図３および図４で示したメールに関するデータは、メール送受信機能部６００によって送受信される電子メールに関するデータである。ショートメッセージ送受信機能部７００で送受信されるメールは、基本的にこれらのデータと同様であるが、違いは、送信元メルアド６１２と送信先メルアド（送信先数６５２の送信先メルアド）が、電話番号であることのみである。
【００８１】
＜動作＞
以下、上述した携帯電話機１０００の動作について図５〜図１０を用いて説明する。
【００８２】
以下、受信メールを指定している時に、その受信メールに関係する処理を行う場合と、送信メールを指定している時に、その送信メールに関係する処理を行う場合とに分けて説明する。
【００８３】
ここで、受信メールを指定している場合とは、受信メールの本文などを表示している場合だけでなく、受信メール一覧のうちの１つをフォーカスすることにより指定している場合や確定キーなどで確定した場合なども含むものとする。
【００８４】
同様に、送信メールを指定している場合とは、送信メールの通信文を作成している途中や、過去に送信したメールの通信文などを表示している場合だけでなく、送信メール一覧のうちの１つをフォーカスすることにより指定している場合や確定キーなどで確定した場合なども含むものとする。
【００８５】
また、フローチャートの右に示している図（９１０，９１１等）は、携帯電話機１０００のディスプレイ３１０の画面の例である。
【００８６】
＜１．受信メールを指定している時＞
受信メールを指定している場合に、各キー（２１０，２２０，２３０）を押下した場合の処理について、それぞれ説明する。
【００８７】
＜１−１．発信キーを押下した場合＞
図５は、受信メールを表示している時に、発信キー２１０を押下した場合の処理を示す
フローチャートである。
【００８８】
ここでの受信メールとは、メール送受信機能部６００で受信したメール、またはショートメッセージ送受信機能部７００で受信したメールをいうものとする。
【００８９】
まず、受信メールがメール送受信機能部６００で受信したメールである場合から説明する。
【００９０】
ユーザは、受信したメールを表示する操作を行う。
【００９１】
ユーザがメール表示の操作を行ったことを検出したキー操作検出部２００は、その旨と指定されたメールの受信メール番号とを制御部１００に通知する。
【００９２】
通知を受けた制御部１００は、その受信メール番号をメール送受信機能部６００に通知し、表示の依頼を行う。
【００９３】
受信メールの表示依頼を受けたメール送受信機能部６００は、内部のメモリに記憶されている受信メールの受信情報６１０を、制御部１００から通知された受信メール番号をキーとして検索し、通知された受信メール番号と一致するものがあれば、その内容を、制御部１００を介して表示部３００に通知して表示依頼を行う。
【００９４】
この際、制御部１００は、受信メール番号の送信元メルアド６１２を、作業メモリに記憶しておく。
【００９５】
表示依頼を受けた表示部は、通知された内容をディスプレイ３１０に表示する（ステップＳ１００、画面９１０）。
【００９６】
この状態で、ユーザは発信キー２１０を押下する（ステップＳ１１０：ＹＥＳ）。
【００９７】
発信キー２１０が押下されたことを検出したキー操作検出部２００は、そのキーに割り当てられている機能が、音声通話の発信機能である旨を制御部１００に通知する。
【００９８】
他のキーを押下した場合は、そのキーに割り当てられている処理を通知することになり（ステップＳ１１０：ＮＯ）、その処理が実行されることになる（ステップＳ１７０）。
【００９９】
キー操作検出部２００から、音声通話の発信機能がユーザによって指示された旨を通知された制御部１００は、作業メモリ内に記憶している送信元メルアド６１２、すなわち、現在表示されている受信メールの送信元メルアド６１２をアドレス帳検索部４００に通知し、電話番号を検索するよう依頼する。
【０１００】
検索依頼を受けたアドレス帳検索部４００は、通知された送信元メルアド６１２をキーとして、アドレス帳記憶部４１０に記憶されているアドレス帳を検索し（ステップＳ１２０）、送信元メルアド６１２と同じメールアドレスを含む個人情報４２０を選び出す。
【０１０１】
アドレス帳検索部４００は、その選び出された個人情報４２０から、電話番号の全てを抽出し（ステップＳ１３０：ＹＥＳ）、制御部１００に返す。
【０１０２】
例えば、送信元メルアド６１２が「aaa@bbb.com」の場合、登録番号４２１が「０３８
」の個人情報４２０が選ばれ、電話番号は「09012345678」と「09011111111」との２つが抽出されることになる。
【０１０３】
制御部１００は、アドレス帳検索部４００から受け取った電話番号を、表示部３００に渡し、表示依頼をする。この際、制御部１００は、これらの電話番号を作業メモリに記憶しておく。
【０１０４】
電話番号の表示依頼を受けた表示部は、電話番号をディスプレイ３１０に表示する（画面９１１）。送信元が複数であり、発信先が複数人の場合は、例えば、図６の画面９２２で表されている形式のように、人数分の電話番号を、ページめくり形式で表示し、選択できるようにする。
【０１０５】
ユーザは、表示された電話番号のうち、１つをフォーカスし、確定キーを押下する（ステップＳ１５０）。
【０１０６】
確定キーが押下されたことを検出したキー操作検出部２００は、その旨を何番目の電話番号がフォーカスされているかの情報と共に、制御部１００に通知する。
【０１０７】
通知を受けた制御部１００は、フォーカスされていた電話番号を作業メモリから取り出し、音声通話機能部５００に取り出した電話番号を通知すると共に、発信依頼をする。
【０１０８】
発信依頼を受けた音声通話機能部５００は、受け取った電話番号あてに発信処理をし、通話の処理を行う（ステップＳ１６０）。
【０１０９】
通話が終了すれば、音声通話機能部５００は制御部１００にその旨の通知を行い、終了通知を受け取った制御部は、受信メール表示を行う（ステップＳ１００）。
【０１１０】
尚、アドレス帳検索部４００が、個人情報４２０をえらび出せなかった場合や、選び出した個人情報に電話番号が登録されていなかった場合は、その旨を制御部１００に返し、制御部は、その旨を示すメッセージを表示部３００に表示依頼する。
【０１１１】
メッセージの表示依頼を受けた表示部３００は、エラーメッセージをディスプレイ３１０に表示する（ステップＳ１８０、画面９１２）。
【０１１２】
次に、受信メールがショートメッセージ送受信機能部７００で受信したメールである場合を説明する。
【０１１３】
上述したメール送受信機能部６００で受信したメールである場合と、基本的に同様であるが、次の点で異なる。
【０１１４】
受信メールがショートメッセージ送受信機能部７００で受信したメールである場合とメール送受信機能部６００で受信したメールである場合との違いは、制御部１００が記憶しておくものが、メールアドレスではなく電話番号であり、アドレス帳検索部４００がアドレス帳を検索する際のキーが、メールアドレスではなく電話番号である点である（ステップＳ１２０）。
【０１１５】
＜１−２．メールキーを押下した場合＞
図６は、受信メールを表示している時に、メールキー２２０を押下した場合の処理を示すフローチャートである。
【０１１６】
ここでの受信メールとは、メール送受信機能部６００で受信したメール、またはショートメッセージ送受信機能部７００で受信したメールであってもよい。
【０１１７】
まず、受信メールがメール送受信機能部６００で受信したメールである場合から説明する。
【０１１８】
ユーザは、受信したメールを表示する操作を行い、ユーザの指示した受信メールが表示される（ステップＳ１００、画面９２０）。本実施形態の場合は、受信したメールのリストも表示されている。
【０１１９】
この受信メールを表示する処理は、図５におけるステップＳ１００の処理と同様である。
【０１２０】
この状態で、ユーザはメールキー２２０を押下する（ステップＳ２００：ＹＥＳ）。ここでは、短押し、長押しの区別はないものとし、メール送受信機能とショートメッセージ送受信機能との、どちらを指示したとするかは、表示されている受信メールに依存するものとする。すなわち、表示されているメールがメール送受信機能部６００で受信したメールである場合は、メール送受信機能を指示したものと判断する。
【０１２１】
メールキー２２０が押下されたことを検出したキー操作検出部２００は、そのキーに割り当てられている機能が、メール送受信機能である旨を制御部１００に通知する。
【０１２２】
他のキーを押下した場合は、そのキーに割り当てられている処理を通知することになり（ステップＳ２００：ＮＯ）、その処理が実行されることになる（ステップＳ２４０）。
【０１２３】
キー操作検出部２００から、メール送受信機能がユーザによって指示された旨を通知された制御部１００は、現在表示されている受信メールの送信元メルアド６１２をアドレス帳検索部４００に通知し、メールアドレスを検索するよう依頼する。
【０１２４】
検索依頼を受けたアドレス帳検索部４００は、通知された送信元メルアド６１２をキーとして、アドレス帳記憶部４１０に記憶されているアドレス帳を検索し（ステップＳ１２０）、送信元メルアド６１２と同じメールアドレスを含む個人情報４２０を選び出し、その個人情報４２０から、メールアドレスの全てを抽出し（ステップＳ２０５：ＹＥＳ）、制御部１００に返す。
【０１２５】
例えば、送信元メルアド６１２が「tana1@fff.com」の場合、登録番号４２１が「０６
７」の個人情報４２０が選ばれ、メールアドレスは「tana1@fff.com」の１つが抽出され
ることになる。
【０１２６】
制御部１００は、アドレス帳検索部４００から受け取ったメールアドレスを、表示部３００に渡し、表示依頼をする。この際、制御部１００は、これらのメールアドレスを作業メモリに記憶しておく。
【０１２７】
メールアドレスの表示依頼を受けた表示部は、メールアドレスをディスプレイ３１０に表示する（ステップＳ２１０、画面９２２）。
【０１２８】
ここで、本件では、アドレス帳検索部４００が、アドレス帳記憶部４１０に記憶されている個人情報を検索する場合のキーとなるメールアドレスが、送信元メルアド６１２のみではなく、この受信メールに関係のある人、例えば、同じメールを送信されている人や、ＣＣで送信されている人のメールアドレスもキーとして、個人情報を検索するものとする。
【０１２９】
画面９２２で表されているように、人数分のメールアドレスを、ページめくり形式で表示し、選択できるようにする。
【０１３０】
ユーザは、個人ごとに、表示されたメールアドレスのうち、１つをフォーカスし、確定キーを押下する（ステップＳ２２０）。
【０１３１】
確定キーが押下されたことを検出したキー操作検出部２００は、その旨を何番目のメールアドレスがフォーカスされているかの情報と共に、制御部１００に通知する。
【０１３２】
通知を受けた制御部１００は、フォーカスされていたメールアドレスを作業メモリから取り出し、メール送受信機能部６００に取り出したメールアドレスを通知すると共に、メールの作成を依頼する。
【０１３３】
メール作成依頼を受けたメール送受信機能部６００は、新規メールの作成および送信処理を行う（ステップＳ２３０、画面９３１）。
【０１３４】
メールの送信が終了すれば、メール送受信機能部６００は制御部１００にその旨の通知を行い、終了通知を受け取った制御部は、受信メール表示を行う（ステップＳ１００）。
【０１３５】
次に、受信メールがショートメッセージ送受信機能部７００で受信したメールである場合を説明する。
【０１３６】
メール送受信機能部６００で受信したメールである場合との違いは、制御部１００が記憶しておくものが、メールアドレスではなく電話番号であり、制御部１００が、メール送受信機能部６００にではなく、ショートメッセージ送受信機能部７００に送信メールの作成処理を依頼する点である（ステップＳ２３０）。
【０１３７】
尚、本実施形態で説明したメールキーは、従来の返信メールを作成するためのキー（以下、「返信キー」という。）とは、次の点で相違する。
【０１３８】
返信キーの場合は、実際に受信メールが送信されてきた元のメールアドレスに対する送信メールを作成するものであり、その元のメールアドレス以外のメールアドレスにメールを送ろうとした場合には、１から作成する必要がある。
【０１３９】
しかし、本実施形態で示すように、本発明に係るメールキーの場合は、容易に、簡単な操作で、メールアドレスを選択して送信メールを作成できるという利点がある。
【０１４０】
＜１−３．ｗｅｂキーを押下した場合＞
図７は、受信メールを表示している時に、ｗｅｂキー２３０を押下した場合の処理を示すフローチャートである。
【０１４１】
ここでの受信メールとは、メール送受信機能部６００で受信したメール、またはショートメッセージ送受信機能部７００で受信したメールをいうものとする。
【０１４２】
まず、受信メールがメール送受信機能部６００で受信したメールである場合から説明する。
【０１４３】
ユーザは、受信したメールを表示する操作を行い、ユーザの指示した受信メールが表示される（ステップＳ１００、画面９２０）。
【０１４４】
この受信メールを表示する処理は、図５におけるステップＳ１００の処理と同様である。
【０１４５】
この状態で、ユーザはｗｅｂキー２３０を押下する（ステップＳ３００：ＹＥＳ）。
【０１４６】
ｗｅｂキー２３０が押下されたことを検出したキー操作検出部２００は、そのキーに割り当てられている機能が、ｗｅｂアクセス機能である旨を制御部１００に通知する。
【０１４７】
他のキーを押下した場合は、そのキーに割り当てられている処理を通知することになり（ステップＳ３００：ＮＯ）、その処理が実行されることになる（ステップＳ３４０）。
【０１４８】
キー操作検出部２００から、ｗｅｂアクセス機能がユーザによって指示された旨を通知された制御部１００は、現在表示されている受信メールの送信元メルアド６１２をアドレス帳検索部４００に通知し、ＵＲＬを検索するよう依頼する。
【０１４９】
検索依頼を受けたアドレス帳検索部４００は、通知された送信元メルアド６１２をキーとして、アドレス帳記憶部４１０に記憶されているアドレス帳を検索し（ステップＳ１２０）、送信元メルアド６１２と同じメールアドレスを含む個人情報４２０を選び出し、その個人情報４２０から、ＵＲＬの全てを抽出し（ステップＳ３０５：ＹＥＳ）、制御部１００に返す。
【０１５０】
例えば、送信元メルアド６１２が「aaa@bbb.com」の場合、登録番号４２１が「０３８
」の個人情報４２０が選ばれ、ＵＲＬは「http://www.z.co.jp/yyy/x.html」の１つが抽
出されることになる。
【０１５１】
制御部１００は、アドレス帳検索部４００から受け取ったＵＲＬを、表示部３００に渡し、表示依頼をする。この際、制御部１００は、これらのＵＲＬを作業メモリに記憶しておく。
【０１５２】
ＵＲＬの表示依頼を受けた表示部は、ＵＲＬをディスプレイ３１０に表示する（ステップＳ３１０、画面９３０）。
【０１５３】
ユーザは、表示されたＵＲＬのうち、１つをフォーカスし、確定キーを押下する（ステップＳ３２０）。
【０１５４】
確定キーが押下されたことを検出したキー操作検出部２００は、その旨を何番目のＵＲＬがフォーカスされているかの情報と共に、制御部１００に通知する。
【０１５５】
通知を受けた制御部１００は、フォーカスされていたＵＲＬを作業メモリから取り出し、ｗｅｂアクセス部８００に取り出したＵＲＬを通知すると共に、アクセス依頼をする。
【０１５６】
アクセス依頼を受けたｗｅｂアクセス部８００は、インターネットに接続し、受け取ったＵＲＬの表示処理を行う（ステップＳ３３０、画面９３１）。
【０１５７】
ユーザがウェブページを見終われば、終了キーを押下する。その押下を検知したキー操作検出部２００は、制御部１００にその旨の通知を行い、終了した旨を受け取った制御部は、受信メール表示を行う（ステップＳ１００）。
【０１５８】
尚、アドレス帳検索部４００が、個人情報４２０を選び出せなかった場合や、選び出した個人情報にＵＲＬが登録されていなかった場合は、その旨を制御部１００に返し、制御
部は、その旨を示すメッセージを表示部３００に表示依頼する。
【０１５９】
メッセージの表示依頼を受けた表示部３００は、エラーメッセージをディスプレイ３１０に表示する（ステップＳ３５０）。表示される画面は、図５の画面９１２と同様の形式である（図示していない）。
【０１６０】
次に、受信メールがショートメッセージ送受信機能部７００で受信したメールである場合を説明する。
【０１６１】
メール送受信機能部６００で受信したメールである場合との違いは、制御部１００が記憶しておくものが、メールアドレスではなく電話番号であり、アドレス帳検索部４００がアドレス帳を検索する際のキーが、メールアドレスではなく電話番号である点である（ステップＳ１２０）。
【０１６２】
＜２．送信メールを指定している時＞
送信メールを指定している場合に、各キー（２１０，２２０，２３０）を押下した場合の処理について、それぞれ説明する。
【０１６３】
＜２−１．発信キーを押下した場合＞
図８は、送信メールを表示している時に、発信キー２１０を押下した場合の処理を示すフローチャートである。
【０１６４】
ここでの処理は、図５を用いて説明した、受信メールを表示している時に、発信キー２１０を押下した場合の処理とほとんど、同じである。異なる点は、受信メールの受信情報６１０の送信元メルアド６１２をキーとして、アドレス帳を検索等したのを、送信メールの送信先情報６５０の送信先メルアドをキーとして、アドレス帳を検索等する点である。
【０１６５】
簡単に、処理を説明する。
【０１６６】
ユーザの操作により、送信メールを表示し（ステップＳ４００、画面９２０）、その状態で、発信キー２１０を押下する（ステップＳ４１０：ＹＥＳ）。その際、制御部１００は、送信先のメールアドレスを記憶しておく。
【０１６７】
他のキーを押下すれば、そのキーに応じた処理がなされる（ステップＳ４１０：ＮＯ、ステップＳ４７０）。
【０１６８】
発信キー２１０が押下されると、制御部１００の依頼によりアドレス帳検索部４００は、送信先のメールアドレスをキーとしてアドレス帳を検索し（ステップＳ４２０）、電話番号を抽出する（ステップＳ４３０）。抽出する電話番号がなかった場合は、エラーメッセージを表示する（ステップＳ４８０）。表示される画面は、図５の画面９１２と同様の形式である（図示していない）。
【０１６９】
送信先のメールアドレスが複数個ある場合は、そのすべてについて、抽出を行う。
【０１７０】
抽出された電話番号は、表示部３００により表示される（ステップＳ４４０、画面９１１）。送信先が複数の場合は、例えば、図６の画面９２２で表されている形式のように、人数分の電話番号を、ページめくり形式で表示し、選択できるようにする。
【０１７１】
ユーザにより、電話番号が１つ選択され（ステップＳ４５０）、発信処理が成される（ステップＳ４６０）。
【０１７２】
送信メールがショートメッセージ送受信機能部７００で受信したメールである場合は、制御部１００が記憶しておくものが、メールアドレスではなく電話番号であり、アドレス帳検索部４００がアドレス帳を検索する際のキーが、メールアドレスではなく電話番号である点である（ステップＳ４２０）。
【０１７３】
＜２−２．メールキーを押下した場合＞
図９は、送信メールを表示している時に、メールキー２２０を押下した場合の処理を示すフローチャートである。
【０１７４】
ここでの処理は、図８を用いて説明した、送信メールを表示している時に、発信キー２１０を押下した場合の処理とほとんど、同じである。異なる点は、アドレス帳から、電話番号ではなくメールアドレスを抽出する点である。それをもとに、発信処理を行うのではなく、メールの宛先を変更する処理を行う。
【０１７５】
簡単に、処理を説明する。
【０１７６】
ユーザの操作により、送信メールを表示し（ステップＳ４００、画面９２０）、その状態で、メールキー２２０を押下する（ステップＳ５００）。その際、制御部１００は、送信先のメールアドレスを記憶しておく。
【０１７７】
他のキーを押下すれば、そのキーに応じた処理がなされる（ステップＳ５４０）。
【０１７８】
メールキー２２０が押下されると、制御部１００の依頼によりアドレス帳検索部４００は、送信先のメールアドレスをキーとしてアドレス帳を検索し（ステップＳ４２０）、メールアドレスを抽出する（ステップＳ４３０）。抽出するメールアドレスがなかった場合は、エラーメッセージを表示する（ステップＳ５５０）。表示される画面は、図５の画面９１２と同様の形式である（図示していない）。
【０１７９】
送信先のメールアドレスが複数個ある場合は、そのすべてについて、抽出を行う。
【０１８０】
抽出されたメールアドレスは、表示部３００により表示される（ステップＳ５１０、画面９２３）。送信先が複数の場合は、例えば、図６の画面９２２で表されている形式のように、人数分のメールアドレスを、ページめくり形式で表示し、選択できるようにする。
【０１８１】
ユーザにより、各送信先毎にメールアドレスが１つ選択されると（ステップＳ５２０）、該当する送信先のメールアドレスが、選択されたメールアドレスに変更される（ステップＳ５３０）。送信先が複数ある場合は、それぞれについて１つずつ選択して、それぞれのメールアドレスを変更する。
【０１８２】
例えば、作成中の送信メールの送信先が、「aaa@bbb.com」である場合に、メールキー
を押下して上述の処理を行うことで、送信先のアドレスを「ccc@ddd.net」に変更するこ
とができる。
【０１８３】
送信メールがショートメッセージ送受信機能部７００で受信したメールである場合は、制御部１００が記憶しておくものが、メールアドレスではなく電話番号であり、アドレス帳検索部４００がアドレス帳を検索する際のキーが、メールアドレスではなく電話番号である点である（ステップＳ４２０）。
【０１８４】
＜２−３．ｗｅｂキーを押下した場合＞
図１０は、送信メールを表示している時に、ｗｅｂキー２３０を押下した場合の処理を示すフローチャートである。
【０１８５】
ここでの処理は、図７を用いて説明した、受信メールを表示している時に、ｗｅｂキー２３０を押下した場合の処理とほとんど、同じである。異なる点は、受信メールの受信情報６１０の送信元メルアド６１２をキーとして、アドレス帳を検索等したのを、送信メールの送信先情報６５０の送信先メルアドをキーとして、アドレス帳を検索等する点である。
【０１８６】
簡単に、処理を説明する。
【０１８７】
ユーザの操作により、送信メールを表示し（ステップＳ４００、画面９２０）、その状態で、ｗｅｂキー２３０を押下する（ステップＳ６００）。その際、制御部１００は、送信先のメールアドレスを記憶しておく。
【０１８８】
他のキーを押下すれば、そのキーに応じた処理がなされる（ステップＳ６４０）。
【０１８９】
ｗｅｂキー２３０が押下されると、制御部１００の依頼によりアドレス帳検索部４００は、送信先のメールアドレスをキーとしてアドレス帳を検索し（ステップＳ４２０）、ＵＲＬを抽出する（ステップＳ４３０）。抽出するＵＲＬがなかった場合は、エラーメッセージを表示する（ステップＳ６５０）。表示される画面は、図５の画面９１２と同様の形式である（図示していない）。
【０１９０】
送信先のメールアドレスが複数個ある場合は、そのすべてについて、抽出を行う。
【０１９１】
抽出されたＵＲＬは、表示部３００により表示される（ステップＳ６１０、画面９３０）。送信先が複数の場合は、例えば、図６の画面９２２で表されている形式のように、人数分のＵＲＬを、ページめくり形式で表示し、選択できるようにする。
【０１９２】
ユーザにより、ＵＲＬが１つ選択されると（ステップＳ６２０）、ｗｅｂアクセス部８００は、インターネットに接続し、そのＵＲＬにアクセスし表示する（ステップＳ６３０）。
【０１９３】
送信メールがショートメッセージ送受信機能部７００で受信したメールである場合は、制御部１００が記憶しておくものが、メールアドレスではなく電話番号であり、アドレス帳検索部４００がアドレス帳を検索する際のキーが、メールアドレスではなく電話番号である点である（ステップＳ４２０）。
【０１９４】
＜補足＞
以上、本発明に係る携帯端末について実施形態に基づいて説明したが、この携帯端末を部分的に変形することもでき、本発明は上述の実施形態に限られないことは勿論である。即ち、（１）実施形態では、電子メールの受信メール表示時に、メールキーを押下すると返信の電子メールを作成することとしているが（図６参照）、メールキーを長押しした場合には、ショートメッセージの返信メールを作成することとしてもよい。
【０１９５】
この場合は、メールアドレスでアドレス帳を検索し、検索された個人情報の中の電話番号を表示し、選択された電話番号を基に、ショートメッセージ送受信機能部７００に返信メール作成依頼をすることになる。
（２）実施形態では、キーの押下によって、キーに割り当てられた機能を実行することとしているが、いわゆるメニュー等から実行を指示することとしてもよい。
（３）実施形態では、電話番号等が１つである場合にも、一覧を表示することとしているが（図７、画面９３７参照）、１つの場合には、それに基づいて機能を実行することとしてもよい。
【０１９６】
例えば、発信キーを押下した場合に、電話番号が１つのみ抽出された場合は、すぐに発信処理を行うなどである。
【０１９７】
また、電話番号等が複数ある場合であっても、どれを選択するかを、予め決めておいてもよく、またさらに、例えば、時間によって自動的に変わるようにしておいてもよい。この場合、例えば、ユーザがどれを選択するか、どの時間帯にどれを選択するかなどの情報を入力する手段を追加し、入力された情報を記憶しておき、キーの押下によって、制御部１００がそれらを選択して、各機能部に指示を出すこととする。
（４）実施形態で示した携帯端末の各機能を実現させる為の各制御処理（図１等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯端末の各機能が実現される。
【産業上の利用可能性】
【０１９８】
メール送受信機能を有する携帯電話機の技術として有用である。
【符号の説明】
【０１９９】
１０    アンテナ
２０    無線部
３０    変復調部
４０    音声処理部
５０    マイク
６０    スピーカ
１００    制御部
２００    キー操作検出部
２１０    発信キー
２２０    メールキー
２３０    webキー
３００    表示部
３１０    ディスプレイ
４００    アドレス帳検索部
４１０    アドレス帳記憶部
４２０    個人情報
４２１    管理番号
５００    音声通話機能部
６００    メール送受信機能部
７００    ショートメッセージ送受信機能部
８００    webアクセス部
１０００    携帯端末
【図１】
2011188520.tif 000003
【図２】
2011188520.tif 000004
【図３】
2011188520.tif 000005
【図４】
2011188520.tif 000006
【図５】
2011188520.tif 000007
【図６】
2011188520.tif 000008
【図７】
2011188520.tif 000009
【図８】
2011188520.tif 000010
【図９】
2011188520.tif 000011
【図１０】
2011188520.tif 000012